(57)【要約】【課題】少ないチューナ数で表示番組の切り換えを短時間で行うことのできる放送受信装置及びその制御方法を提供する。【解決手段】本発明の放送受信装置は、従来型放送番組とバルク型放送番組とを受信可能な放送受信装置であって、複数のチューナと、第１番組を受信するための選局処理を第１番組を表示するための操作がされる前に行う選局制御手段と、を有する。第１番組がバルク型放送番組であった場合、選局制御手段は、第１番組を受信するための選局処理の代わりに、第１番組と同一内容の従来型放送番組である第２番組を受信するための選局処理を行う。そして、第１番組を表示するための操作がされときに、表示番組を第２番組に切り換えると共に、第１番組を受信するための選局処理を開始する。第１番組を受信するための選局処理が完了した後、表示番組を第２番組から第１番組に切り換える。【選択図】図２
2010147978.tif 000002
【特許請求の範囲】
【請求項１】
１つのチューナで受信される従来型放送番組と２つ以上のチューナで受信されるバルク型放送番組とを受信可能な放送受信装置であって、
複数のチューナと、
現在選局中の番組の次に選局されることが予想される第１番組を受信するための選局処理を、ユーザにより前記第１番組を選局するための操作がなされる前に、前記複数のチューナの内の未使用のチューナで行う選局制御手段と、
を有し、
前記第１番組がバルク型放送番組であった場合に、
前記選局制御手段は、
前記第１番組を受信するための選局処理の代わりに、前記第１番組と同一内容であり、且つ、従来型放送番組である第２番組を受信するための選局処理を行い、
ユーザにより前記第１番組を選局するための操作がなされときに、選局される番組を前記第２番組に切り換えると共に、前記第１番組を受信するための選局処理を前記複数のチューナの内の未使用のチューナで開始し、
前記第１番組を受信するための選局処理が完了した後、選局される番組を第２番組から第１番組に切り換える
ことを特徴とする放送受信装置。
【請求項２】
前記第１番組がバルク型放送番組であった場合に、前記第２番組が放送されているか否かを判定する判定手段を更に備え、
前記選局制御手段は、前記判定手段により、前記第２番組が放送されていると判定された場合に、前記第１番組を受信するための選局処理の代わりに、前記第２番組を受信するための選局処理を行う
ことを特徴とする請求項１に記載の放送受信装置。
【請求項３】
前記放送受信装置で受信される番組の信号には、当該番組と同一内容であり、且つ、同一時間帯に放送されている番組を表す番組リンク情報が含まれており、
前記判定手段は、前記番組リンク情報に基づいて、前記第２番組が放送されているか否かを判定する
ことを特徴とする請求項２に記載の放送受信装置。
【請求項４】
前記放送受信装置で受信される番組の信号には、少なくとも現在放送されている番組に関する番組情報が含まれており、
前記判定手段は、前記番組情報に基づいて、前記第２番組が放送されているか否かを判定する
ことを特徴とする請求項２に記載の放送受信装置。
【請求項５】
１つのチューナで受信される従来型放送番組と２つ以上のチューナで受信されるバルク型放送番組とを受信可能な放送受信装置の制御方法であって、
前記放送受信装置は、
複数のチューナと、
現在選局中の番組の次に選局されることが予想される第１番組を受信するための選局処理を、ユーザにより前記第１番組を選局するための操作がなされる前に、前記複数のチューナの内の未使用のチューナで行う選局制御手段と、
を有し、
前記第１番組がバルク型放送番組であった場合に、
前記選局制御手段が、
前記第１番組を受信するための選局処理の代わりに、前記第１番組と同一内容であり、
且つ、従来型放送番組である第２番組を受信するための選局処理を行うステップと、
ユーザにより前記第１番組を選局するための操作がなされときに、選局される番組を前記第２番組に切り換えると共に、前記第１番組を受信するための選局処理を前記複数のチューナの内の未使用のチューナで開始するステップと、
前記第１番組を受信するための選局処理が完了した後、選局される番組を第２番組から第１番組に切り換えるステップと、
を有することを特徴とする放送受信装置の制御方法。
【発明の詳細な説明】
【技術分野】
【０００１】
本発明は、放送受信装置及びその制御方法に関する。
【背景技術】
【０００２】
従来、テレビ番組などのデジタル放送信号を受信可能な放送受信装置において、表示装置で表示される番組（表示番組）の切り換えを行う場合、番組を受信して表示装置へ出力するまでの処理（例えば、番組を受信するための選局処理）に時間を要していた。そのため、切り換え後の番組が表示されるまでユーザを待たせてしまうという問題があった。特に、ユーザが表示番組の切り換えを高速に行う場合（ザッピング操作を行う場合）に、上記問題が顕著に現れ、切り換え後の番組が表示されるまでの待ち時間がユーザにとってストレスとなる虞があった。
【０００３】
一方、放送受信装置の伝送方式として、「バルク伝送方式」が提案されている。バルク型伝送方式では、１チャンネル分の帯域が従来よりも広く（即ち、複数チャンネルで１番組が放送される）、バルク伝送方式で放送されるテレビ番組（バルク型放送番組）を受信するためには、２つ以上のチューナが必要となる。バルク伝送方式を利用すれば、例えば、高解像映像（４ｋ×２ｋ）の番組をライブ放送することが可能になる。
【０００４】
そのため、１つのチューナで受信可能な従来の伝送方式による番組（従来型放送番組）とバルク型放送番組との両方が放送されることが予想される。
【０００５】
バルク型放送番組についての選局処理の方法は、従来型放送番組のものと同様である。すなわち、上記問題は、受信する番組がバルク型放送番組であるか従来型放送番組であるかに関わらず生じる。
【０００６】
従来技術として、チャンネルを切り換えるための上下ボタンが連続押下されている間、所定の速度で表示されるチャンネル番号を切り換える選局装置が特許文献１に開示されている。当該選局装置では、上下ボタンの押下が解除されたときに表示されているチャンネル番号に対応するチャンネルの選局動作を実行する。特許文献１に開示の選局装置は、そのような構成にすることにより、処理時間の増大を防止するものである。
【０００７】
しかしながら、このような手法では、表示番組の切り換えをする際に、番組を受信して表示装置へ出力するまでの処理の時間（即ち、選局時間）を短縮することはできない。また、ユーザが上下ボタンを断続的に押下して選局を行った場合に処理時間の増大を防止することができない。上ボタンを連続押下した直後に、下ボタンを押下した場合などにおいても同様である。
【０００８】
一方、リモコン（放送受信装置を操作するためのリモコン）の下ボタンが押下された場合に表示される番組を受信するための選局処理（チャンネルの選局）を、リモコンの下ボタンが押下される前に、未使用のチューナで行う放送受信装置がある。以下、この放送受信装置について詳しく説明する。
【０００９】
図９は、そのような放送受信装置の機能・構成を示すブロック図である。リモコン信号受信部５００は、ユーザがリモコンを操作した際に送信されるリモコン信号を受信する。リモコン信号受信部５００が表示番組を切り換えるための指示（即ち、チャンネルを切り換えるための指示）を受信すると、選局制御部５０１は、チューナ５０２〜５０５のいずれかのチューナに対し、選局処理を行うように指示をする。具体的には、選局制御部５０
１は、チャンネル情報テーブル管理部５１５で管理されているチャンネル情報（チャンネルを表す情報）に基づいて上記切り換え指示に応じたチャンネルの選局処理を行うように指示をする。それにより、選局されたチャンネルで放送されている番組が受信される。具体的には、番組の信号（放送信号）が受信される。復調部５０６は、受信した放送信号から変調方式や他ストリーム接続情報等の伝送パラメータ情報を抽出し、当該放送信号を復調する。
【００１０】
デマックス部５０７は、復調部５０６で復調された放送信号を音声圧縮信号、映像圧縮信号、番組情報信号に分離する。音声圧縮信号は音声復号処理部５０８にて復号される（以後、復号後の音声圧縮信号を音声信号と呼ぶ）。そして、音声出力部５０９が、音声信号に応じた音声を出力する。映像圧縮信号は映像復号処理部５１０にて復号される（以後、復号後の映像圧縮信号を映像信号と呼ぶ）。そして、映像合成出力部５１１が、映像信号に応じた映像を出力する。番組情報信号は番組情報管理部５１２にて番組名、番組開始時刻、番組放送時間（番組開始時刻から番組終了時刻までの時間）などの番組情報に分解され、蓄積される。ユーザが、放送受信装置に対しリモコン等を用いて電子番組表の表示を指示すると、番組表作成制御部５１３が番組情報管理部５１２に蓄積されている番組情報に基づいて番組表を作成する。具体的には、番組表作成制御部５１３は、描画処理部５１４に対し、番組情報に基づいて番組表を作成するように指示する。描画処理部５１４にて作成された番組表（信号）は、映像合成出力部５１１にて映像信号と合成されて出力される。
【００１１】
バルク伝送情報取得部５１８は、放送信号に含まれるバルク伝送パラメータ（受信した番組がバルク型放送番組なのかなどを表す情報）を復調部５０６より取得する。そして、バルク伝送情報取得部５１８は、チャンネル情報テーブル管理部５１５に対して受信した番組がバルク型放送番組なのかなどを知らせる。なお、チャンネル情報テーブル管理部５１５が、バルク伝送情報取得部５１８に対しそのような情報を問い合わせてもよい。
【００１２】
チャンネル情報テーブル管理部５１５は、従来型放送番組を受信するための選局処理に必要なパラメータ情報をデマックス部５０７より取得する。従来型放送番組を受信するための選局処理に必要なパラメータ情報とは、例えば、従来型放送番組が放送されているチャンネル及びバルク型放送番組が放送されている１つ目のチャンネルの番号や周波数などである。また、チャンネル情報テーブル管理部５１５は、バルク型放送番組を受信するための選局処理に必要なパラメータ情報をバルク伝送情報取得部５１８より取得する。バルク型放送番組を受信するための選局処理に必要なパラメータ情報とは、例えば、バルク型放送番組が放送されている２つ目以降のチャンネルの番号や周波数などである。そして、チャンネル情報テーブル管理部５１５は、各番組を受信するための選局処理に必要なそれらのパラメータ情報を管理し、選局制御部５０１へ送る。
【００１３】
下ボタン選局制御部５１６は、チャンネル情報テーブル管理部５１５から下ボタン用のチャンネル情報を取得する。下ボタン用のチャンネル情報は、下ボタンを押下することによって表示される番組のチャンネル情報である。そして、選局制御部５０１は、下ボタンが押下された際に表示番組（選局される番組）の切り換えを短時間で行うための選局処理を行う。
【００１４】
表示番組の切り換え操作が行われた場合の放送受信装置の動作について図１０を用いて説明する。
【００１５】
まず、ユーザが下ボタンを押下したとする（５５０）。それにより、放送受信装置は、当該操作に応じたチャンネルで放送されている番組を表示する（５５１）。図１０は、バルク型放送番組がチューナ５０２、５０３で受信された場合の例である。
【００１６】
それと共に、放送受信装置は、次に下ボタンが押下されたときに表示される番組Ａのチャンネル情報を取得し、未使用のチューナで番組Ａを受信するための選局処理を行う（５５２）。即ち、放送受信装置は、現在表示中の番組の次に下ボタンの押下により表示される番組Ａ（現在選局中の番組の次に下ボタンの押下により選局される番組）を受信するための選局処理を、下ボタンが押下される前に、未使用のチューナで行う。それにより、番組Ａが先行的に受信される。図１０は、番組ＡがストリームＡ１、Ａ２で構成されるバルク型放送番組であり、チューナ５０４、５０５で番組Ａを受信するための選局処理を行う場合の例である。
【００１７】
そして、ユーザが再び下ボタン押下すると（５５３）、放送受信装置は、先行的に受信していた番組Ａを表示する（５５４）。それと共に、放送受信装置は、次に下ボタンが押下されたときに表示される番組Ａ’のチャンネル情報を取得し、未使用のチューナで番組Ａ’を受信するための選局処理を行う（５５５）。図１０は、番組Ａ’がストリームＡ’１、Ａ’２で構成されるバルク型放送番組であり、チューナ５０２、５０３で番組Ａ’を受信するための選局処理を行う場合の例である。
【００１８】
次に、ユーザが上ボタンを押下すると（５５６）、放送受信装置は、当該操作に応じたチャンネルで放送されている番組Ｂのチャンネル情報を取得し、番組Ｂを受信するための選局処理を行う。当該選局処理が完了次第、番組Ｂを表示する（５５７）。図１０は、番組ＢがストリームＢ１、Ｂ２で構成されるバルク型放送番組である場合の例である。
【００１９】
このように、上述した従来技術では、下ボタンの押下により表示される番組を受信するための選局処理を先行的に行う。それにより、下ボタンが押下された際に表示番組の切り換えを短時間で行うことができる。
【００２０】
しかしながら、このような手法では、放送受信装置の備えるチューナの数が４つの場合に、先行的な選局処理を複数番組について行うことができず、表示番組の切り換えを短時間で行うことができない場合が多かった。例えば、表示番組がバルク型放送番組であり、下ボタンが押下されたときに表示される番組がバルク型放送番組であった場合に、全てのチューナが使用されるため、他の番組を受信するための選局処理を先行的に行うことができない。そのため、５５６の処理のように、ユーザにより下ボタンの押下により表示される番組以外の番組を表示するための操作がなされると、表示番組の切り換えを短時間で行うことができない。
【００２１】
また、このような手法では、放送受信装置の備えるチューナの数が３つの場合に、先行的な選局処理を行うことができず、表示番組の切り換えを短時間で行うことができないことがあった。例えば、表示番組がバルク型放送番組であると、未使用のチューナの数が１つとなるため、下ボタンが押下されたときに表示される番組がバルク型放送番組であった場合に、先行的な選局処理を行うことができず、表示番組の切り換えを短時間で行うことができない。
【００２２】
【特許文献１】特開２００４−１３５０５０号公報
【発明の開示】
【発明が解決しようとする課題】
【００２３】
本発明は、上記実情に鑑みてなされたものであって、その目的とするところは、少ないチューナ数で選局される番組の切り換えを短時間で行うことのできる放送受信装置及びその制御方法を提供することにある。
【課題を解決するための手段】
【００２４】
本発明の放送受信装置は、
１つのチューナで受信される従来型放送番組と２つ以上のチューナで受信されるバルク型放送番組とを受信可能な放送受信装置であって、
複数のチューナと、
現在選局中の番組の次に選局されることが予想される第１番組を受信するための選局処理を、ユーザにより前記第１番組を選局するための操作がなされる前に、前記複数のチューナの内の未使用のチューナで行う選局制御手段と、
を有し、
前記第１番組がバルク型放送番組であった場合に、
前記選局制御手段は、
前記第１番組を受信するための選局処理の代わりに、前記第１番組と同一内容であり、且つ、従来型放送番組である第２番組を受信するための選局処理を行い、
ユーザにより前記第１番組を表示するための操作がなされときに、選局される番組を前記第２番組に切り換えると共に、前記第１番組を受信するための選局処理を前記複数のチューナの内の未使用のチューナで開始し、
前記第１番組を受信するための選局処理が完了した後、選局される番組を第２番組から第１番組に切り換える
ことを特徴とする。
【００２５】
本発明の放送受信装置の制御方法は、
１つのチューナで受信される従来型放送番組と２つ以上のチューナで受信されるバルク型放送番組とを受信可能な放送受信装置の制御方法であって、
前記放送受信装置は、
複数のチューナと、
現在選局中の番組の次に選局されることが予想される第１番組を受信するための選局処理を、ユーザにより前記第１番組を選局するための操作がなされる前に、前記複数のチューナの内の未使用のチューナで行う選局制御手段と、
を有し、
前記第１番組がバルク型放送番組であった場合に、
前記選局制御手段が、
前記第１番組を受信するための選局処理の代わりに、前記第１番組と同一内容であり、且つ、従来型放送番組である第２番組を受信するための選局処理を行うステップと、
ユーザにより前記第１番組を表示するための操作がなされときに、選局される番組を前記第２番組に切り換えると共に、前記第１番組を受信するための選局処理を前記複数のチューナの内の未使用のチューナで開始するステップと、
前記第１番組を受信するための選局処理が完了した後、選局される番組を第２番組から第１番組に切り換えるステップと、
を有することを特徴とする。
【発明の効果】
【００２６】
本発明によれば、少ないチューナ数で選局される番組の切り換えを短時間で行うことのできる放送受信装置及びその制御方法を提供することができる。
【発明を実施するための最良の形態】
【００２７】
以下、本発明の実施形態に係る放送受信装置について説明する。放送受信装置は、放送されている番組を受信し、受信した番組を表示装置に出力する。それにより番組は表示装置に表示される。本実施形態に係る放送受信装置は、１つのチューナで受信される従来型放送番組と２つ以上のチューナで受信されるバルク型放送番組とを受信可能とする。なお、本実施形態では、バルク型放送番組は２つのチューナで受信されるものとするが、受信
に必要なチューナの数は２つより多くてもよい。
【００２８】
本実施形態に係る放送受信装置は、複数のチューナ（本実施形態では４つ）と選局制御部とを有する。選局制御部は、現在表示中の番組の次に表示装置で表示されることが予想される番組（現在選局中の番組の次に選局されることが予想される番組；第１番組）を受信するための選局処理（先行選局処理）を先行的に行う。具体的には、先行選局処理は、ユーザにより第１番組を表示するための操作がなされる前に、放送受信装置の有する複数のチューナの内の未使用のチューナで行われる。第１番組は、どのような番組であってもよい。第１番組は、例えば、放送受信装置を操作するためのリモコンに設けられたボタンであって、番組を切り換えるためのボタンを押下することによって表示される番組である。本実施形態では、表示番組をシーケンシャルに切り換えるためのボタン（例えば、上下ボタン）を押下することによって表示される番組を第１番組とする。番組が対応付けられたボタン（例えば、チャンネルに対応する番号が付されたボタン）を押下することによって表示される番組を第１番組としてもよい。
【００２９】
選局制御部は、第１番組がバルク型放送番組であった場合に、第１番組を受信するための選局処理の代わりに、第１番組と同一内容であり、且つ、従来型放送番組である第２番組を受信するための選局処理を行う。選局制御部は、ユーザにより第１番組を表示するための操作がなされときに、表示番組を第２番組に切り換えると共に、第１番組を受信するための選局処理を前記複数のチューナの内の未使用のチューナで開始する。そして、第１番組を受信するための選局処理が完了した後、表示番組を第２番組から第１番組に切り換える。
【００３０】
そのような構成にすることにより、先行選局処理は従来型放送番組について行われるようになる。そして、従来型放送番組が表示されてからバルク型放送番組の選局処理を行い、選局処理完了後に従来型放送番組からバルク型放送番組へ表示が切り換えられる。それにより、少ないチューナ数で表示番組（選局される番組）の切り換えを短時間で行うことが可能となる。
【００３１】
＜実施例＞
以下、本実施形態に係る放送受信装置の具体的な実施例について説明する。なお、同一内容のバルク型放送番組と従来型放送番組とが同時に放送されていることを前提としてもよいが、以下の実施例では、そのような前提は無いものとする。そこで、以下の実施例では、放送受信装置が、第１番組がバルク型放送番組であった場合に、第２番組が放送されているか否かを判定する機能を有するものとする。そして、第２番組が放送されている場合に、第１番組を受信するための選局処理の代わりに、第２番組を受信するための選局処理を行うものとする。
【００３２】
（実施例１）
以下、本発明の実施例１に係る放送受信装置について説明する。本実施例では、放送受信装置で受信される番組の信号（放送信号）に、当該番組と同一内容であり、かつ、同一時間帯に放送されている番組を表す番組リンク情報が含まれていることを前提とする。番組リンク情報は、例えば、放送受信装置で受信される番組と同一内容の番組が放送されているチャンネルの番号などである。
【００３３】
図１は、実施例１に係る放送受信装置の機能・構成を示すブロック図である。リモコン信号受信部１００は、ユーザがリモコンを操作した際に送信されるリモコン信号を受信する。リモコン信号受信部１００が表示番組を切り換えるための指示（即ち、チャンネルを切り換えるための指示）を受信すると、選局制御部１０１は、チューナ部１０２〜１０５のいずれかのチューナに対し、選局処理を行うように指示をする。具体的には、選局制御
部１０１は、チャンネル情報テーブル管理部１１５で管理されているチャンネル情報（チャンネルを表す情報）に基づいて上記切り換え指示に応じたチャンネルの選局処理を行うように指示をする。それにより、選局されたチャンネルで放送されている番組が受信される。具体的には、番組の信号（放送信号）が受信される。復調部１０６は、受信した放送信号から変調方式や他ストリーム接続情報等の伝送パラメータ情報を抽出し、当該放送信号を復調する。
【００３４】
デマックス部１０７は、復調部１０６で復調された放送信号を音声圧縮信号、映像圧縮信号、番組情報信号に分離する。音声圧縮信号は音声復号処理部１０８にて復号される（以後、複合後の音声圧縮信号を音声信号と呼ぶ）。そして、音声出力部１０９が、音声信号に応じた音声を出力する。映像圧縮信号は映像復号処理部１１０にて復号される（以後、復号後の映像圧縮信号を映像信号と呼ぶ）。そして、映像合成出力部１１１が、映像信号に応じた映像を出力する。番組情報信号は番組情報管理部１１２にて少なくとも現在放送されている番組毎に、番組名、番組開始時刻、番組放送時間（番組開始時刻から番組終了時刻までの時間）、番組リンク情報などの番組情報に分解され、蓄積される。本実施例では、ユーザが放送受信装置に対しリモコン等を用いて電子番組表の表示を指示すると、番組表作成制御部１１３が番組情報管理部１１２に蓄積されている番組情報にもとづいて番組表を作成する。具体的には、番組表作成制御部１１３は、描画処理部１１４に対し、番組情報に基づいて番組表を作成するように指示する。描画処理部１１４にて作成された番組表（信号）は、映像合成出力部１１１にて映像信号と合成されて出力される。なお、本実施例では、放送受信装置が音声出力部１０９と映像合成出力部１１１とを備える場合について説明するが、それらは外部の機器であってもよい。音声出力部１０９としては既存のスピーカーなどを適用すればよい。映像合成出力部１１１としては既存の表示装置（電子放出素子を備える画像表示装置、液晶ディスプレイ装置、プラズマディスプレイ装置、有機ＥＬディスプレイ装置など）を適用すればよい。
【００３５】
バルク伝送情報取得部１１８は、放送信号に含まれるバルク伝送パラメータ情報（受信した番組がバルク型放送番組なのかなどを表す情報）を復調部１０６より取得する。そして、バルク伝送情報取得部１１８は、上下ボタン用チャンネル判定部１１７及びチャンネル情報テーブル管理部１１５に対して受信された番組がバルク型放送番組なのかなどを知らせる。なお、上下ボタン用チャンネル判定部１１７やチャンネル情報テーブル管理部１１５が、バルク伝送情報取得部１１８に対しそのような情報を問い合わせてもよい。本実施例では、上下ボタン用チャンネル判定部１１７及びチャンネル情報テーブル管理部１１５が、必要に応じてバルク伝送情報取得部１１８へ受信した番組がバルク型放送番組なのか否かを問い合わせるものとする。
【００３６】
チャンネル情報テーブル管理部１１５は、従来型放送番組を受信するための選局処理に必要なパラメータ情報をデマックス部１０７より取得する。従来型放送番組を受信するための選局処理に必要なパラメータ情報とは、例えば、従来型放送番組が放送されているチャンネル及びバルク型放送番組が放送されている１つ目のチャンネルの番号や周波数などである。また、チャンネル情報テーブル管理部１１５は、バルク型放送番組を受信するための選局処理に必要なパラメータ情報をバルク伝送情報取得部１１８より取得する。バルク型放送番組を受信するための選局処理に必要なパラメータ情報とは、例えば、バルク型放送番組が放送されている２つ目以降のチャンネルの番号や周波数などである。そして、チャンネル情報テーブル管理部１１５は、各番組を受信するための選局処理に必要なそれらのパラメータ情報を管理し、選局制御部１０１へ送る。
【００３７】
同一番組情報取得部１１９は、番組情報管理部１１２で管理されている番組リンク情報（所定の番組と同一内容の番組が放送されているチャンネルの番号（本実施例では３桁の番号））を取得する。
【００３８】
上下ボタン用チャンネル判定部１１７は、表示番組の切り換えが行われたときや、上ボタンや下ボタンの押下によって表示される番組が切り換わったときに、選局制御部１０１などから種々の情報を取得する。以後、上ボタンの押下によって表示される番組（第１番組）を上ボタン番組、下ボタンの押下によって表示される番組（第１番組）を下ボタン番組とする。上下ボタン用チャンネル判定部１１７は、具体的には、選局制御部１０１より未使用のチューナ数を取得する。チャンネル情報テーブル管理部１１５より、上ボタン番組と下ボタン番組のそれぞれについて、放送されているチャンネルの番号を取得する。バルク伝送情報取得部１１８より、上ボタン番組と下ボタン番組のそれぞれについて、バルク型放送番組か否かを表す情報（ストリーム情報）を取得する。同一番組情報取得部１１９より、上ボタン番組と下ボタン番組のそれぞれについて、同一内容の番組が放送されているチャンネルの番号（番組リンク情報）を取得する。そして、上下ボタン用チャンネル判定部１１７は、上ボタン番組、下ボタン番組、またはそれらの両方がバルク型放送番組であった場合に、番組リンク情報に基づいて、同一内容の番組（第２番組）が放送されているか否かを判定する。それにより先行選局処理を行う番組を決定する。
【００３９】
上下ボタン選局制御部１１６は、上下ボタン用チャンネル判定部１１７で決定された番組が放送されているチャンネルの番号を取得する。そして、上ボタンと下ボタンのそれぞれについて、押下された際に表示番組の切り換えを短時間で行うための選局処理を行うように選局制御部１０１へ指示する。
【００４０】
表示番組の切り換え操作が行われた場合の本実施例に係る放送受信装置の動作について図２を用いて説明する。
【００４１】
まず、ユーザが下ボタンを押下したとする（１５０）。それにより、放送受信装置は、当該操作に応じたチャンネルで放送されている番組を表示する（１５１）。図２は、バルク型放送番組がチューナ１０２、１０３で受信された場合の例である。
【００４２】
それと共に、上下ボタン用チャンネル判定部１１７が、次に下ボタンが押下されたされたときに表示される番組Ａと、次に上ボタンが押下されたときに表示される番組Ｂのそれぞれのチャンネル情報をチャンネル情報テーブル管理部１１５から取得する。そして、バルク伝送情報取得部から、番組Ａと番組Ｂのそれぞれのストリーム情報を取得する。それにより、番組Ａと番組Ｂのそれぞれについて、従来型放送番組かバルク型放送番組かが判断される。図２は、番組ＡがストリームＡ１、Ａ２で構成されるバルク型放送番組であり、番組ＢがストリームＢ１、Ｂ２で構成されるバルク型放送番組である場合の例である。
【００４３】
次に、上下ボタン用チャンネル判定部１１７は、バルク型放送番組である番組Ａ及び番組Ｂのそれぞれについて、同一内容の従来型放送番組が放送されているか否かを判定する。当該判定は、例えば、番組リンク情報を確認することにより行われる。そして、同一内容の従来型放送番組が存在する場合には、先行選局処理の対象を上記同一内容の従来型放送番組とし、上下ボタン選局制御部１１６、選局制御部１０１により先行選局処理が行われる（１５２）。なお、先行選局処理を行えるか否かは、選局制御部１０１より取得される未使用のチューナ数に基づいて判断すればよい。図２では、番組Ａと同一内容の従来型放送番組である番組Ｃ（ストリームＡ３）、番組Ｂと同一内容の従来型放送番組である番組Ｄ（ストリームＢ３）が放送されている。そして、番組Ａの代わりにチューナ１０４で番組Ｃを受信するための先行選局処理を、番組Ｂの代わりにチューナ１０５で番組Ｄを受信するための先行選局処理が行われる。
【００４４】
そして、ユーザが再び下ボタンを押下すると（１５３）、選局制御部１０１は、表示番組を先行選局された番組Ｃに切り換える（１５４）。そして、それと共に、番組Ｃと同一
内容である番組Ａを受信するための選局処理を行い、番組Ａを受信するための選局処理が完了した後、表示番組を番組Ｃから番組Ａに切り換える（１５５）。
【００４５】
なお、上ボタン、下ボタン以外のボタンの押下によって表示番組が切り換えられた場合には、当該切り換え処理に対応する番組について従来の通りに選局処理を行い、選局処理が完了次第当該番組を表示すればよい。
【００４６】
以上の本実施例の特徴となる先行選局処理を実現するために用いられた各機能について、以下に詳しく説明する。
【００４７】
まず、上下ボタン用チャンネル判定部１１７の内部動作について図３、４を用いて説明する。図３は上下ボタン用チャンネル判定部１１７の内部動作を示すフローチャートである。図３の処理は、表示番組の切り換えが行われたときや、上ボタンや下ボタンの押下によって表示される番組（第１番組；上ボタン番組や下ボタン番組）が切り換わったときに行われる。
【００４８】
表示番組の切り換えが行われた場合、または、上ボタンや下ボタンの押下によって表示される番組が切り換わった場合（Ｓ１００：Ｙｅｓ）、選局制御部１０１に未使用のチューナが２つ以上存在するかを問い合わせる。そして、未使用のチューナが２つ以上存在する場合（Ｓ１０１：Ｙｅｓ）、上ボタン番組と下ボタン番組のそれぞれについて、チャンネル情報テーブル管理部１１５より、放送されているチャンネルの番号を取得する（Ｓ１０２）。そして、当該取得されたチャンネルの選局処理を行うための指示として、チャンネルの番号を上下ボタン選局制御部１１６へ送る（Ｓ１０３）。それにより、上ボタン番組と下ボタン番組をそれぞれ１つのチューナで受信するための選局処理が行われ、それらの番組が受信される。
【００４９】
そして、バルク伝送情報取得部１１８に対し、上ボタン番組と下ボタン番組のそれぞれについてバルク型放送番組か否かを問い合わせる（Ｓ１０４）。
【００５０】
受信した全ての番組（上ボタン番組と下ボタン番組の両方）が従来型放送番組であった場合（Ｓ１０５：Ｎｏ）、上ボタンと下ボタンに従来型放送番組の放送されているチャンネルをそれぞれ割り当てる（Ｓ１０６）。具体的には、上下ボタン用チャンネル判定部１１７は判定に用いるテーブルを有しており、上ボタンと下ボタンに従来型放送番組である上ボタン番組と下ボタン番組が放送されているチャンネルをそれぞれ対応付けて当該テーブルに記憶させる。なお、上ボタン番組と下ボタン番組を受信するための選局処理は、Ｓ１０３の後に行われているため、チャンネルの番号を上下ボタン選局制御部１１６へ送る処理は省略する。
【００５１】
受信した上ボタン番組と下ボタン番組のいずれか、または両方がバルク型放送番組であった場合（Ｓ１０５：Ｙｅｓ）、Ｓ１０７の処理を行う。Ｓ１０７では、当該バルク型放送番組の信号に含まれる番組リンク情報（その番組と同一内容の番組が放送されているチャンネルの番号）を同一番組情報取得部１１９より取得する。
【００５２】
番組リンク情報が取得された場合（Ｓ１０８：Ｙｅｓ）、当該番組リンク情報に対応する番組が放送されているチャンネルをボタンに割り当てる（Ｓ１０９）。そして、当該割り当てられた番組が放送されているチャンネルの番号を上下ボタン選局制御部１１６へ送る（Ｓ１１０）。それにより、Ｓ１０９で割り当てられた番組を１つのチューナで受信するための選局処理が行われ、当該割り当てられた番組が受信される。例えば、下ボタン番組がバルク型放送番組であり、下ボタン番組の信号に番組リンク情報（下ボタン番組と同一内容の番組のチャンネル番号）が含まれていた場合、下ボタン番組と同一内容の番組が
放送されているチャンネルの番号を下ボタンに割り当てる。そして、下ボタン番組と同一内容の番組が放送されているチャンネルの番号を上下ボタン選局制御部１１６へ送る。それにより、下ボタン番組と同一内容の番組を１つのチューナで受信するための選局処理が行われ、当該下ボタン番組と同一内容の番組が受信される。このとき、下ボタン番組と同一内容の番組を受信するための選局処理は、Ｓ１０３において下ボタン番組を受信するために用いられたチューナで行われる。
【００５３】
番組リンク情報が取得されなかった場合（Ｓ１０８：Ｎｏ）、選局制御部１０１に未使用のチューナの存在を問い合わせる。未使用のチューナがある場合（Ｓ１１１：Ｙｅｓ）、バルク型放送番組が放送されているチャンネルをボタンに割り当てる（Ｓ１１２）。そして、当該バルク型放送番組が放送されているチャンネルを上下ボタン選局制御部１１６へ送る（Ｓ１１３）。それにより、バルク型放送番組を受信するための選局処理が行われ、当該バルク型放送番組が受信される。例えば、下ボタン番組がバルク型放送番組であり、下ボタン番組の信号に番組リンク情報が含まれていなかった場合、下ボタン番組が放送されているチャンネルを下ボタンに割り当てる。そして、下ボタン番組が放送されているチャンネルを上下ボタン選局制御部１１６へ送る。それにより、下ボタン番組を、Ｓ１０３において下ボタン番組を受信するために用いられたチューナを含む複数の未使用のチューナで受信するための選局処理が行われ、下ボタン番組が受信される。
【００５４】
上記上下ボタン用チャンネル判定部１１７の動作の一例について図４を用いて説明する。図４は上下ボタン用チャンネル判定部１１７が有するテーブルの一例を示す図である。
【００５５】
Ｓ１０２によって、下ボタン番組が放送されているチャンネルの番号９６１と、上ボタン番組が放送されているチャンネルの番号９９１が取得されたとする。
【００５６】
チャンネル番号９６１及び９９１を上下ボタン選局制御部１１６へ知らせる（Ｓ１０３）。それにより、上ボタン番組と下ボタン番組の受信がそれぞれ１つのチューナで行われる。そして、バルク伝送情報取得部１１８へ上ボタン番組と下ボタン番組がそれぞれバルク型放送番組か否かを問い合わせる（Ｓ１０４）。それにより、下ボタン番組がバルク型放送番組であり、上ボタン番組が従来型放送番組であることが判明する。次に、下ボタン番組についてのみ、同一番組情報取得部１１９から番組リンク情報を取得する（Ｓ１０７）。それにより、下ボタン番組と同一内容の番組が放送されていること、及び、その番組が放送されているチャンネルの番号が１６１であることが判明する。
【００５７】
そして、チャンネル番号１６１を下ボタンに割り当て（Ｓ１０９）、チャンネル番号１６１を上下ボタン選局制御部１１６へ知らせる（Ｓ１１０）。それにより、チャンネル番号１６１で放送されている番組の受信が１つのチューナで行われる。その後、バルク伝送情報取得部１１８へチャンネル番号１６１で放送されている番組がバルク型放送番組か否かを問い合わせる（Ｓ１０４）。それにより、チャンネル番号１６１で放送されている番組が従来型放送番組であることが判明する。
【００５８】
このようにして、上下ボタン用チャンネル判定部１１７では、最終的に下ボタンとチャンネル番号１６１、上ボタンとチャンネル番号９９１が関連付けられ、それらのチャンネルで放送されている番組を受信するための選局処理が先行的に行われる。
【００５９】
次に、同一番組情報取得部１１９の内部動作について説明する。
【００６０】
同一番組情報取得部１１９は、上記上下ボタン用チャンネル判定部１１７の動作において、上ボタン番組と下ボタン番組の少なくともいずれかの第１番組がバルク型放送番組であった場合に動作する。
【００６１】
具体的には、そのような場合に、上下ボタン用チャンネル判定部１１７より、第１番組と同一内容の番組の有無の問い合わせとして、Ｓ１０２で取得したチャンネル番号のうちバルク型放送番組である第１番組が放送されているチャンネルの番号が送られる。そして、番組情報管理部１１２で管理されている当該第１番組に対応する番組リンク情報（バルク型放送番組である第１番組と同一内容の番組が放送されているチャンネルの番号）を取得する。そのチャンネル番号を上下ボタン用チャンネル判定部１１７へ送ることにより、バルク型放送番組である第１番組と同一内容の番組の存在及びその放送チャンネルが伝えられる。
【００６２】
次に、バルク伝送情報取得部１１８の内部動作について説明する。
【００６３】
バルク伝送情報取得部１１８は、受信している番組の信号中に含まれるバルク伝送パラメータを復調部１０６より取得する処理を行う。具体的には、バルク伝送パラメータとして、「メディア情報」「全物理チャンネル番号」、「全スロットのストリーム番号」、「全ＴＳ−ＩＤ」、「バルク伝送イネーブルフラグ」、「バルク伝送用の接続ストリーム番号」などを取得する。バルク型放送番組を受信するための２つ目以降の「メディア情報」「全物理チャンネル番号」、「全スロットのストリーム番号」は、「バルク伝送用（の）接続ストリーム情報」として他の情報と区別されている。そして、上下ボタン用チャンネル判定部１１７からの問い合わせ（受信している番組がバルク型放送番組か否かについての問い合わせ（Ｓ１０４の処理））に対し、「バルク伝送イネーブルフラグ」の状態を返す。例えば、受信している番組がバルク型放送番組の場合にオン状態、そうでない場合にオフ状態を返す。
【００６４】
また、バルク伝送情報取得部１１８は、チャンネル情報テーブル管理部１１５に対して「バルク伝送イネーブルフラグ」の状態の変化を通知する。さらに、チャンネル情報テーブル管理部１１５からのパラメータ情報の問い合わせに対し、「物理チャンネル番号」と「ＴＳ−ＩＤ」を通知する。具体的には、受信している「物理チャンネル番号」と「ＴＳ−ＩＤ」とに対応する、バルク型放送番組を受信するための２つ目以降の「物理チャンネル番号」と「ＴＳ−ＩＤ」とを通知する。物理チャンネル番号は上述した３桁のチャンネル番号とは異なる番号であり、チャンネルの周波数帯域を特定するための番号である。ＴＳ−ＩＤは、番組を表すストリーム情報のＩＤである。
【００６５】
次に、チャンネル情報テーブル管理部１１５の内部動作について図５を用いて説明する。図５は、選局処理に必要なパラメータ情報を管理するチャンネル情報テーブルの一例を示す図である。チャンネル情報テーブル管理部１１５は、「物理チャンネル番号」、「ＴＳ−ＩＤ」、「チャンネル番号」、「ＴＳ名」等のパラメータ情報をデマックス部１０７より取得する。
【００６６】
また、バルク伝送情報取得部１１８より「バルク伝送イネーブルフラグ」のオン・オフの状態、即ち、受信している番組がバルク型放送番組か否かが、チャンネル情報テーブル管理部１１５へ通知される。そして、受信している番組がバルク型放送番組である場合には、バルク型放送番組を受信するための２つ目以降の「メディア情報」、「物理チャンネル番号」、「ＴＳ−ＩＤ」をバルク伝送情報取得部１１８より取得し、チャンネル情報テーブルに格納する。メディア情報は、例えば、放送メディアの種類（ＢＳ放送／ＣＳ放送／地上デジタル放送など）を表す情報である。
【００６７】
選局処理を行う際、チャンネル情報テーブル管理部１１５には、選局制御部１０１により３桁のチャンネル番号が通知される。チャンネル情報テーブル管理部１１５は、当該チャンネル番号の通知に対して、「物理チャンネル番号」と「ＴＳ−ＩＤ」とを返す。その
チャンネルで受信される番組がバルク型放送番組である場合には、バルク型放送番組を受信するための２つ目以降の「メディア情報」、「物理チャンネル番号」、「ＴＳ−ＩＤ」も選局制御部１０１に通知する。
【００６８】
なお、チャンネル情報テーブルには、上ボタンや下ボタンの押下によって表示される順番で各情報が記録されている。そして、上ボタン番組と下ボタン番組のそれぞれのチャンネル番号は、現在表示中の番組のチャンネル番号を基準に決められ、上下ボタン用チャンネル判定部１１７へ通知される（Ｓ１０２）。
【００６９】
以下に、上ボタンや下ボタンが押下された場合の選局制御部１０１の処理について、図６を用いて説明する。図６は上ボタンや下ボタンが押下された場合の選局制御部１０１の処理の流れを示すフローチャートである。
【００７０】
選局制御部１０１は、リモコン信号受信部１００から、受信されたリモコン信号を取得する。リモコン信号が表示番組の切り換えを表すものであった場合（Ｓ１２０：Ｙｅｓ）、予め上下ボタン選局制御部１１６によって選局処理されている番組のうち、該当する番組を表示する（Ｓ１２１）。そして、Ｓ１２１によって表示された番組が、バルク型放送番組（第１番組）の代わりに表示された従来型放送番組（第２番組）である場合（Ｓ１２２：Ｙｅｓ）には、第１番組を受信するための選局処理をチューナ部１０２〜１０５の内の未使用のチューナで行う。第１番組を受信するための選局処理が完了した後、表示番組を第２番組から第１番組に切り換える（Ｓ１２３）。
【００７１】
以上述べたように、本実施例では、ボタン（上ボタン、下ボタンなど）の押下によって表示される第１番組がバルク型放送番組であった場合に、第１番組と同一内容の従来型放送番組である第２番組が放送されているか否かを番組リンク情報に基づいて判定する。第２番組が放送されていると判定された場合に、第１番組を受信するための選局処理の代わりに、第２番組を受信するための選局処理を行う。そして、ユーザにより第１番組を表示するための操作がなされときに、表示番組を第２番組に切り換えることにより、少ないチューナ数で表示番組の切り換えを短時間で行うことが可能となる。
【００７２】
（実施例２）
以下、本発明の実施例２に係る放送受信装置について説明する。本実施例は、放送信号に番組リンク情報が含まれていない場合の例である。
【００７３】
図７は、実施例２に係る放送受信装置の機能・構成を示すブロック図である。リモコン信号受信部３００は、ユーザがリモコンを操作した際に送信されるリモコン信号を受信する。リモコン信号受信部３００が表示番組を切り換えるための指示（即ち、チャンネルを切り換えるための指示）を受信すると、選局制御部３０１は、チューナ部３０２〜３０５のいずれかのチューナに対し、選局処理を行うように指示をする。具体的には、選局制御部３０１は、チャンネル情報テーブル管理部３１５で管理されているチャンネル情報（チャンネルを表す情報）に基づいて上記切り換え指示に応じたチャンネルの選局処理を行うように指示をする。それにより、選局されたチャンネルで放送されている番組が受信される。具体的には、番組の信号（放送信号）が受信される。復調部３０６は、受信した放送信号から変調方式や他ストリーム接続情報等の伝送パラメータを抽出し、当該放送信号を復調する。
【００７４】
デマックス部３０７は、復調部３０６で復調された放送信号を音声圧縮信号、映像圧縮信号、番組情報信号に分離する。音声圧縮信号は音声復号処理部３０８にて復号される（以後、複合後の音声圧縮信号を音声信号と呼ぶ）。そして、音声出力部３０９が、音声信号に応じた音声を出力する。映像圧縮信号は映像復号処理部３１０にて復号される（以後
、複合後の映像圧縮信号を映像信号と呼ぶ）。そして、映像合成出力部３１１が、映像信号に応じた映像を出力する。番組情報信号は番組情報管理部３１２にて少なくとも現在放送されている番組を表す番組情報（具体的には、事業者識別番号、番組名、番組開始時刻、番組放送時間など）に分解され、蓄積される。本実施例では、ユーザが放送受信装置に対しリモコン等を用いて電子番組表の表示を指示すると、番組表作成制御部３１３が番組情報管理部３１２に蓄積されている番組情報にもとづいて番組表を作成する。具体的には、番組表作成制御部３１３は、描画処理部３１４に対し、番組情報に基づいて番組表を作成するように指示する。描画処理部３１４にて作成された番組表（信号）は、映像合成出力部３１１にて映像信号と合成されて出力される。
【００７５】
バルク伝送情報取得部３１８は、放送信号に含まれるバルク伝送パラメータ情報を復調部３０６より取得する。そして、バルク伝送情報取得部３１８は、上下ボタン用チャンネル判定部３１７及びチャンネル情報テーブル管理部３１５に対して受信された番組がバルク型放送番組なのかなどを知らせる。伝送の受信の有無やパラメータ情報の問い合わせに答える。なお、上下ボタン用チャンネル判定部３１７やチャンネル情報テーブル管理部３１５が、バルク伝送情報取得部３１８に対しそのような情報を問い合わせてもよい。本実施例では、上下ボタン用チャンネル判定部３１７及びチャンネル情報テーブル管理部３１５が、必要に応じてバルク伝送情報取得部３１８へ受信した番組がバルク型放送番組なのか否かを問い合わせるものとする。
【００７６】
チャンネル情報テーブル管理部３１５は、従来型放送番組を受信するための選局処理に必要なパラメータ情報をデマックス部３０７より取得する。従来型放送番組を受信するための選局処理に必要なパラメータ情報とは、例えば、従来型放送番組が放送されているチャンネル及びバルク型放送番組が放送されている１つ目のチャンネルの番号や周波数などである。また、チャンネル情報テーブル管理部３１５は、バルク型放送番組を受信するための選局処理に必要なパラメータ情報をバルク伝送情報取得部３１８より取得する。バルク型放送番組を受信するための選局処理に必要なパラメータ情報とは、例えば、バルク型放送番組が放送されている２つ目以降のチャンネルの番号や周波数などである。そして、チャンネル情報テーブル管理部３１５は、各番組を受信するための選局処理に必要なそれらのパラメータ情報を管理し、選局制御部３０１へ送る。
【００７７】
同一番組判定部３１９は、所定の番組と同一内容の番組が放送されているか否かを番組情報管理部３１２で管理されている番組情報に基づいて判定する。
【００７８】
上下ボタン用チャンネル判定部３１７は、表示番組の切り換えが行われたときや、上ボタンや下ボタンの押下によって表示される番組（上ボタン番組や下ボタン番組）が切り換わったときに、選局制御部３０１などから種々の情報を取得する。上下ボタン用チャンネル判定部３１７は、具体的には、選局制御部３０１より未使用のチューナ数を取得する。チャンネル情報テーブル管理部３１５より、上ボタン番組と下ボタン番組のそれぞれについて、放送されているチャンネルの番号を取得する。バルク伝送情報取得部３１８より、上ボタン番組と下ボタン番組のそれぞれについて、バルク型放送番組か否かを表す情報（ストリーム情報）を取得する。同一番組判定部３１９より、上ボタン番組と下ボタン番組のそれぞれについて、同一内容の番組が放送されているチャンネルの番号を取得する。それにより先行選局処理を行う番組を決定する。
【００７９】
上下ボタン選局制御部３１６は、上下ボタン用チャンネル判定部３１７で決定された番組が放送されているチャンネルの番号を取得する。そして、上ボタンと下ボタンのそれぞれについて、押下された際に表示番組の切り換えを短時間で行うための選局処理を行うように選局制御部３０１へ指示する。
【００８０】
表示番組の切り換え操作が行われた場合の本実施例に係る放送受信装置の動作については、実施例１（図２）と同様のため、説明を省略する。また、図２に示す処理（先行選局処理）を実現するために用いられる上下ボタン用チャンネル判定部３１７、バルク伝送情報取得部３１８、チャンネル情報テーブル管理部３１５、選局制御部３０１の内部動作についても、実施例１と同様のため説明を省略する。
【００８１】
以下、同一番組判定部３１９の内部動作について図８を用いて説明する。図８は同一番組判定部３１９の内部動作を示すフローチャートである。
【００８２】
同一番組判定部３１９は、番組情報管理部３１２内部の番組情報が更新された場合に（Ｓ３５０：Ｙｅｓ）、番組情報管理部３１２より事業者識別番号、チャンネル番号、番組名、番組開始時刻、番組放送時間を取得する。
【００８３】
同一事業者（同一の事業者識別番号）でチャンネル番号の異なる番組が存在する場合に（Ｓ３５１：Ｙｅｓ）、そのようなチャンネル番号の異なる２つの番組を比較する。それらの番組間で、番組名、番組開始時刻、及び、番組放送時間が一致した場合（即ち、Ｓ３５２〜Ｓ３５４において全てＹｅｓであった場合）に、それら２つの番組について同一番組フラグをオンにする（Ｓ３５５）。同一番組フラグとは番組間で互いに同一内容か否かを表すフラグである。Ｓ３５２〜Ｓ３５４の条件に一つでも当てはまらない場合、同一番組フラグをオフにする（Ｓ３５６）。Ｓ３５２〜Ｓ３５６の処理を事業者が同じである全ての番組について調査する（Ｓ３５７）
【００８４】
なお、同一事業者でチャンネル番号の異なる番組が存在しない場合には（Ｓ３５１：ＮＯ）、この事業者の全番組について同一番組フラグをオフにする（Ｓ３５８）。
【００８５】
以上の処理を全ての事業者について行い（Ｓ３５９）、判定結果である同一番組フラグを番組情報管理部３１２に通知する。それにより当該判定結果は番組情報管理部に保存される。
【００８６】
また、同一番組判定部３１９は、所定の番組（例えば、上ボタン番組や下ボタン番組）と同一内容の番組に関する問合せとして上下ボタン用チャンネル判定部３１７から送られるチャンネル番号を受け取る。そして、番組情報管理部３１２に保存された同一番組フラグに基づいて、当該所定の番組と同一内容の番組が放送されているチャンネル番号を取得し、上下ボタン用チャンネル判定部３１７へ返す。
【００８７】
このような構成により、ボタン（上ボタン、下ボタンなど）の押下によって表示される第１番組がバルク型放送番組であった場合に、第１番組と同一内容の従来型放送番組である第２番組が放送されているか否かを番組情報に基づいて判定することが可能となる。それにより、放送信号に番組リンク情報が含まれていない場合であっても、実施例１と同様の処理を行うことが可能となるため、少ないチューナ数で表示番組の切り換えを短時間で行うことが可能となる。
【００８８】
なお、本実施形態では、受信している番組に関する「バルク伝送イネーブルフラグ」のみが放送信号に含まれる構成としたが、放送信号には、放送中の全ての番組に関する「バルク伝送イネーブルフラグ」が含まれていてもよい。放送信号には、放送中の全ての番組に関する「バルク伝送イネーブルフラグ」が含まれていることにより、「バルク伝送イネーブルフラグ」を取得するための第１番組の選局処理を省略することが可能となる。
【００８９】
なお、本実施形態では、上ボタン番組と下ボタン番組について未使用のチューナで先行的に選局処理を行う構成としたが、次に表示装置で表示されることが予想される１つの番
組のみ（例えば、上ボタン番組のみ）について先行選局処理を行う構成としてもよい。そのような構成にした場合であっても、少ないチューナ数で表示番組の切り換えを短時間で行うことが可能となることに変わりはなく、また、従来の構成に比べ未使用のチューナの数を増やすことができる。未使用のチューナには、電力を供給しなくてもよいし、裏番組（表示番組とは異なる番組）を録画するためなど、フリーチューナとして自由に利用できる。そのため、未使用のチューナの数を増やすことにより、消費電力を低減させたり、様々な目的でチューナを利用することが可能となる。
【図面の簡単な説明】
【００９０】
【図１】図１は、実施例１に係る放送受信装置の機能・構成を示すブロック図である。
【図２】図２は、表示番組の切り換え操作が行われた場合の実施例１に係る放送受信装置の動作を示すフローチャートである。
【図３】図３は、実施例１に係る上下ボタン用チャンネル判定部の内部動作を示すフローチャートである。
【図４】図４は、実施例１に係る上下ボタン用チャンネル判定部が有するテーブルの一例を示す図である。
【図５】図５は、選局処理に必要なパラメータ情報を管理するチャンネル情報テーブルの一例を示す図である。
【図６】図６は、上ボタンや下ボタンが押下された場合の実施例１に係る選局制御部の処理の流れを示すフローチャートである。
【図７】図７は、実施例２に係る放送受信装置の機能・構成を示すブロック図である。
【図８】図８は、同一番組判定部の内部動作を示すフローチャートである。
【図９】図９は、従来の放送受信装置の機能・構成を示すブロック図である。
【図１０】図１０は、表示番組の切り換え操作が行われた場合の従来の放送受信装置の動作を示すフローチャートである。
【符号の説明】
【００９１】
１００，３００，５００  リモコン信号受信部
１０１，３０１，５０１  選局制御部
１０２−１０５，３０２−３０５，５０２−５０５  チューナ
１０６，３０６，５０６  復調部
１０７，３０７，５０７  デマックス部
１０８，３０８，５０８  音声復号処理部
１０９，３０９，５０９  音声出力部
１１０，３１０，５１０  映像復号処理部
１１１，３１１，５１１  映像合成出力部
１１２，３１２，５１２  番組情報管理部
１１３，３１３，５１３  番組表作成制御部
１１４，３１４，５１４  描画処理部
１１５，３１５，５１５  チャンネル情報テーブル管理部
１１６，３１６  上下ボタン選局制御部
１１７，３１７  上下ボタン用チャンネル判定部
１１８，３１８，５１８  バルク伝送情報取得部
１１９  同一番組情報取得部
３１９  同一番組判定部
５１６  下ボタン選局制御部
【図１】
2010147978.tif 000003
【図２】
2010147978.tif 000004
【図３】
2010147978.tif 000005
【図４】
2010147978.tif 000006
【図５】
2010147978.tif 000007
【図６】
2010147978.tif 000008
【図７】
2010147978.tif 000009
【図８】
2010147978.tif 000010
【図９】
2010147978.tif 000011
【図１０】
2010147978.tif 000012